(57)【要約】【課題】  迅速に記録を開始することができる装置を提供する。【解決手段】  テープ状記録媒体に対して新たに画像データを記録するつなぎ撮り時において、現在のテープ位置の直前のエラー訂正単位の画像データを再生し、このＭ個のエラー訂正単位の画像データ中、符号化処理に関連した所定の画面を検出し、この検出結果に応じて、編集ポイント単位のつなぎ撮りとエラー訂正単位のつなぎ撮りとを切り替える。【選択図】  図６
2006129160.tif 000002
【特許請求の範囲】
【請求項１】
符号化された画像データをテープ状記録媒体上に形成した多数のトラックに対して記録する装置であって、
画像データを入力する入力手段と、
前記入力された動画像データを、画面毎に符号量が異なる所定の符号化方式にて符号化する符号化手段と、
前記符号化された画像データを記憶するメモリと、
Ｎ本（Ｎは２以上の整数）の前記トラックに対して記録する前記符号化された画像データをエラー訂正単位として、前記メモリに記憶された画像データに対してエラー訂正符号化処理を施し、再び前記メモリに記憶するエラー訂正符号化手段と、
前記エラー訂正符号化された画像データを前記メモリから読み出して前記テープ状記録媒体上に記録する記録手段と、
前記テープ状記録媒体より前記画像データを再生して前記メモリに記憶する再生手段と、
前記画像データが記録された前記テープ状記録媒体に対して新たに前記画像データを記録するつなぎ撮り時において、現在のテープ位置の直前のＭ個（Ｍは１以上の整数）の前記エラー訂正単位の画像データを再生し、このＭ個のエラー訂正単位の画像データ中の前記符号化処理に関連した所定の画面を検出し、この検出結果に応じて前記記録手段による前記新たな画像データの記録動作を制御する制御手段とを備える記録装置。
【請求項２】
前記制御手段は、前記所定の画面を検出した場合、この所定の画面を含む前記エラー訂正単位の画像データを前記メモリに保持すると共に、前記メモリに保持されたＮトラック分のデータにおける前記所定の画面の画像データに引き続いて前記新たに記録すべき符号化された画像データを書き込むよう前記メモリの書き込み動作を制御すると共に、前記所定画面の画像データを含むＮトラック分の前記画像データを単位としてエラー訂正符号化処理を施して前記テープ状記録媒体に記録するよう、前記エラー訂正符号化手段と前記記録手段とを制御することを特徴とする請求項１記載の記録装置。
【請求項３】
前記制御手段は、前記所定の画面を検出しなかった場合、前記新たに記録する画像データを前記エラー訂正単位毎にエラー訂正符号化すると共に所定の識別情報を付加し、前記テープ状記録媒体におけるＮ本のトラックを単位に記録を開始するよう前記エラー訂正符号化手段と前記記録手段とを制御することを特徴とする請求項１記載の記録装置。
【請求項４】
前記符号化手段は、画面内符号化と画面間予測符号化とを選択的に用いて前記画像データを符号化することを特徴とする請求項１記載の記録装置。
【請求項５】
前記符号化手段は、画面内符号化、前方予測符号化及び双方向予測符号化とを画面毎に選択的に用いて前記画像データを符号化し、前記所定の画面は前記画面内符号化された画面または、前記前方予測符号化された画面の何れかであることを特徴とする請求項１記載の記録装置。
【請求項６】
前記メモリは、それぞれ前記Ｎトラック分の符号化された画像データを記憶可能なＭ個（Ｍは２以上の整数）のメモリバンクから構成され、前記符号化手段は前記Ｍ個のメモリバンクに対して順次前記符号化された画像データを書き込むことを特徴とする請求項１記載の記録装置。
【請求項７】
前記符号化手段はＭＰＥＧ方式に従って前記画像データを符号化することを特徴とする請求項１記載の記録装置。
【請求項８】
符号化された画像データをテープ状記録媒体上に形成した多数のトラックに対して記録する装置であって、
画像データを入力する入力手段と、
前記入力された動画像データを、画面毎に符号量が異なる所定の符号化方式にて符号化する符号化手段と、
前記符号化された画像データを記憶するメモリと、
Ｎ本（Ｎは２以上の整数）の前記トラックに対して記録する前記符号化された画像データをエラー訂正単位として、前記メモリに記憶された画像データに対してエラー訂正符号化処理を施し、再び前記メモリに記憶するエラー訂正符号化手段と、
前記エラー訂正符号化された画像データを前記メモリから読み出して前記テープ状記録媒体上に記録する記録手段と、
前記テープ状記録媒体より前記画像データを再生して前記メモリに記憶する再生手段と、
前記画像データが記録された前記テープ状記録媒体に対して新たに前記画像データを記録するつなぎ撮り時において、前記テープ上のＮ本のトラックを単位に前記画像データを記録する第１のモードと、前記エラー訂正単位内における所定の画面を単位として記録を開始する第２のモードとを切り替えるモード切り替え手段とを備える記録装置。
【発明の詳細な説明】
【技術分野】
【０００１】
本発明は記録装置に関し、特に画像データを符号化して記録する装置に関する。
【背景技術】
【０００２】
従来、画像データをＭＰＥＧなどの可変長符号化方式により符号化し、磁気テープ上の多数のトラックに記録する装置が知られている（例えば、特許文献１参照）。ＭＰＥＧ方式では、一つのＩフレームと所定数のＰあるいはＢフレームからなるＧＯＰという単位で符号化、復号化処理を行うため、テープ上でつなぎ撮りを行う場合にも、このＧＯＰを単位として行われる。また、この様なＧＯＰとは別に、テープ上のＮ本のトラックを単位としてＭＰＥＧ符号化した画像データにエラー訂正符号化処理を施して記録する装置も知られている（例えば、特許文献２参照）。
【０００３】
特許文献２では、Ｎトラック単位にエラー訂正符号化処理を施してＭＰＥＧ符号化した画像データを記録する場合に、ＧＯＰを単位としてつなぎ撮りを行う方法を開示している。
【特許文献１】特開２０００−１９１３３５号
【特許文献２】特開２０００−１３４５６８号
【発明の開示】
【発明が解決しようとする課題】
【０００４】
しかしながら、特許文献２の構成では、ＧＯＰを単位としてつなぎ撮りを行うことが可能となるものの、記録開始位置のデータを含むＮトラック分のデータを一度テープから再生してメモリに蓄積した後、記録を開始する必要がある。
【０００５】
従って、例えば、ビデオカメラなどで、撮影を一時中断し、その後再び撮影を開始する場合にも、その都度テープを巻き戻して記録停止位置のデータを再生する必要があり、撮影中断後、すぐに撮影を開始することができないという問題があった。
【０００６】
本発明はこの様な問題を解決し、エラー訂正符号化の単位よりも小さい単位でつなぎ撮りを行う場合にも、記録停止後、迅速に記録を開始することができる装置を提供することを目的とする。
【課題を解決するための手段】
【０００７】
本発明は、符号化された画像データをテープ状記録媒体上に形成した多数のトラックに対して記録する装置であって、画像データを入力する入力手段と、前記入力された動画像データを、画面毎に符号量が異なる所定の符号化方式にて符号化する符号化手段と、前記符号化された画像データを記憶するメモリと、Ｎ本（Ｎは２以上の整数）の前記トラックに対して記録する前記符号化された画像データをエラー訂正単位として、前記メモリに記憶された画像データに対してエラー訂正符号化処理を施し、再び前記メモリに記憶するエラー訂正符号化手段と、前記エラー訂正符号化された画像データを前記メモリから読み出して前記テープ状記録媒体上に記録する記録手段と、前記テープ状記録媒体より前記画像データを再生して前記メモリに記憶する再生手段と、前記画像データが記録された前記テープ状記録媒体に対して新たに前記画像データを記録するつなぎ撮り時において、現在のテープ位置の直前のＭ個（Ｍは１以上の整数）の前記エラー訂正単位の画像データを再生し、このＭ個のエラー訂正単位の画像データ中の前記符号化処理に関連した所定の画面を検出し、この検出結果に応じて前記記録手段による前記新たな画像データの記録動作を制御する制御手段とを備える構成とした。
【発明の効果】
【０００８】
本発明によれば、迅速につなぎとりのための準備を行い、つなぎ撮りを開始することができる。
【発明を実施するための最良の形態】
【０００９】
図１は本発明を適用した記録装置１００の構成を示す図である。
【００１０】
本形態の記録装置１００は、入力された動画像データをＭＰＥＧ２方式にて符号化し、特許文献１に記載された方法と同様に、１６トラック分の記録データを単位としてエラー訂正符号化処理を施し、テープ上の多数のトラックに記録する。
【００１１】
まず、通常の記録処理について説明する。
【００１２】
入力部１０１より入力された画像データは、バス１０９を介して一旦メモリ１０２に書き込まれる。符号化処理部１０３はメモリ１０２に書き込まれた画像データを読み出し、ＭＰＥＧ２方式に従って符号化して再びメモリ１０２に書き込む。本形態では、１６トラック分の記録データを単位（以下ＥＣＣユニット）として積符号構成のエラー訂正符号化処理を施すため、外符号処理部１０６はメモリ１０２よりＭＰＥＧ符号化された画像データを読み出し、外符号のエラー訂正符号化処理を施して外符号パリティデータを付加し、メモリ１０２に書き込む。外符号処理が終了すると、メモリ１０２に記憶された画像データに対し内符号処理部１０７により内符号処理を施して内符号パリティデータを付加し、メモリ１０２に書き込む。
【００１３】
エラー訂正符号化処理が終了すると、記録再生部１０４はメモリ１０２より画像データを読み出し、各種の付加データを付加し、更に所定量のデータ毎に同期、ＩＤデータを付加して同期ブロックを形成する。そして、デジタル変調処理を施し、回転磁気ヘッドによりテープＴ上に多数の斜めトラックを形成してデータを記録する。また、本形態では、ＭＰＥＧ符号化の際、１ＧＯＰを１５フレームとし、更に、１ＧＯＰ内において、３フレーム毎（１フレームのＰピクチャと２フレームのＢピクチャ）にＰピクチャを挿入する。そして、この３フレーム毎に、これら３フレームの画像データに係る補助データを付加して記録する。そして、本形態では、この３フレームを単位としてつなぎ撮りを行う。従って、補助データはこの３フレーム単位を識別するために用いる。
【００１４】
ここで、メモリ１０２の様子を図２に示す。
【００１５】
メモリ１０２は、図２（ａ）に示すように、ＭＰＥＧ符号化されていない画像データを記憶するためのビデオメモリ（ＶＭ）領域と、ＭＰＥＧ符号化された画像データを記憶するためのトラックメモリ（ＴＭ）領域を有する。ＶＭ領域は最低、１ＧＯＰ分のＭＰＥＧ符号化のために必要なだけのフレーム数の画像データを記憶可能な要領を有し、また、ＴＭ領域は、図２（ｂ）に示すように、六つのＥＣＣユニット分のＭＰＥＧ符号化された画像データを記憶可能な要領を持っている。また、ＴＭ領域は、一つのＥＣＣユニットが一つのメモリバンクとして機能するよう構成されている。
【００１６】
次に、記録時におけるＴＭ領域の記憶データの様子を図３に示す。
【００１７】
図３は、記録時におけるＴＭ領域の各ＥＣＣユニットに対応したメモリバンクに対してアクセスしている回路を示している。
【００１８】
３０１は記録開始時であり、まず、ＥＣＣ１に対して符号化処理部１０３が符号化したＭＰＥＧデータを書き込んでいる。ＥＣＣ１へのＭＰＥＧデータの書き込みが終了すると、３０２において、外符号処理部１０６がＥＣＣ１２アクセスしてＭＰＥＧデータに対して外符号のエラー訂正符号化処理を施す。また、ＥＣＣ２に対して符号化処理部１０３がＭＰＥＧデータを書き込む。続いて、３０３において、ＥＣＣ１に対して内符号処理部１０８が内符号処理を施し、ＥＣＣ２に対して外符号処理部１０６が外符号処理を施し、ＥＣＣ３に対して符号化処理部１０３がＭＰＥＧデータを書き込む。そして、３０４において、ＥＣＣ１のデータを記録再生部１０４が読み出して記録する。また、ＥＣＣ２に対して内符号処理部１０７が内符号処理を施し、ＥＣＣ３に対して外符号処理部１０６が外符号処理を施し、ＥＣＣ４に対して符号化処理部１０３がＭＰＥＧデータを書き込む。
【００１９】
以下、３０５から３０７に示すように、ＥＣＣ１からＥＣＣ４の各データに対して各回路が順次アクセスする。そして、３０７の次には３０４の状態に戻る。
【００２０】
この様に画像データを記録している状態で、操作部１１０より記録停止の指示があると、制御部１０５はメモリ１０２に記憶されているＭＰＥＧデータのうち、記録停止の指示の直後のＩあるいはＰピクチャのデータを単位として記録を停止する。このとき、制御部１０５は、最後に記録されるＩピクチャ或いはＰピクチャを含むＥＣＣユニットにおいて、最後のＩピクチャ或いはＰピクチャのデータ以降に無効なデータ（ヌルデータ）を書き込むと共に、その次のＥＣＣユニットに対して全てヌルデータを書き込み、この最後のＩピクチャ又はＰピクチャを含むＥＣＣユニットとその次のヌルデータからなるＥＣＣユニットを記録した後、記録を停止するよう、メモリ１０２と記録再生部１０４とを制御する。
【００２１】
次に、再生時の処理について説明する。
【００２２】
操作部１１０より再生開始の指示があると、制御部１０５は記録再生部１０４を制御し、テープＴから画像データを再生し、メモリ１０２に書き込む。なお、記録再生部１０４はテープＴを搬送するためのメカニズムを有する。
【００２３】
メモリ１０２に記憶された再生画像データは、内符号処理部１０７、外符号処理部１０６により順次エラー訂正復号処理が施され、メモリ１０２に書き込まれる。エラー訂正処理されたＭＰＥＧ画像データは符号化処理部１０３により復号され、メモリ１０２に書き込まれる。そして、メモリ１０２に記憶された画像データは表示部１０９に出力され、表示される。
【００２４】
なお、再生時においても、メモリ１０２のＴＭ領域を構成するＥＣＣユニットの各メモリバンクに対して、各回路が順次アクセスすることにより処理を実行する。
【００２５】
次に、つなぎ撮り時の処理を説明する。
【００２６】
本形態では、前述の様に、記録中に操作部１１０により記録一時停止の指示があると画像データの記録を一時停止し、その後記録開始の指示があると記録停止位置より引き続いて画像データを記録するつなぎ撮り処理を行う。
【００２７】
ここで、符号化処理部１０３よりメモリ１０２に書き込まれているＭＰＥＧデータのうち、記録停止指示の直後のＰピクチャの最後データが図３におけるＥＣＣ３に記憶されていた場合、即ち、図３における３０６の状態であった場合、制御部１０５はこのＥＣＣ３におけるＰピクチャの最後のデータ以降、ヌルデータを書き込む。そして、次のＥＣＣユニット、ここでは、ＥＣＣ２に対して全てヌルデータを書き込み、これら二つのＥＣＣユニットのデータに対してエラー訂正符号化の処理を施してテープに記録した後、テープの搬送を停止して記録を停止する。この状態は図３における３０５の状態である。そして、制御部１０５は、つなぎ撮りに備え、テープＴをこの最後の２ＥＣＣユニット＋トラッキングに必要な所定トラック分巻き戻し、停止する。
【００２８】
この状態で記録開始の指示があると、符号化処理部１０３によるＭＰＥＧ符号化の処理を開始するのであるが、制御部１０５は、メモリ１０２のＥＣＣ２の先頭から、最後に記録したＰピクチャまでのＭＰＥＧデータをＥＣＣ１に移動すると共に、このＥＣＣ１において、最後のＰピクチャのデータに引き続いて新たに記録するＭＰＥＧデータを書き込むよう、符号化処理部１０３を制御する。
【００２９】
ＥＣＣ２に記録されているＭＰＥＧデータのトラック上のイメージを図４に示す。
【００３０】
そして、このＥＣＣ１のデータに対し、図５に示すように順次エラー訂正符号化処理を施すと共に、テープＴの搬送を開始し、前回の記録停止時におけるＥＣＣ２のデータが記録されていたトラックに対し、このＥＣＣ１のデータを新たに上書きすることで、つなぎ撮りを開始する。その後、図５に示すように、ＥＣＣ１、ＥＣＣ４からＥＣＣ６の四つのメモリバンクを用いて、引き続き符号化、記録処理を実行する。
【００３１】
さて、記録一時停止後に、つなぎ撮りを行う場合の処理は以上のとおりであるが、次に、新たにテープが装着されて記録を開始する場合の処理について説明する。この場合は、記録一時停止後につなぎ撮りを開始する場合と異なり、最後に記録したＥＣＣユニット、及び、そのＥＣＣユニットにおける３フレーム単位での編集ポイント（補助データ）の位置なども認識できるが、新たにテープが装着された場合には、記録開始位置の直前における３フレーム単位の編集ポイント（補助データ）を検出してつなぎ撮りを行う必要がある。
【００３２】
そのため、本形態では、新たにテープが装着されると、まず、現在のテープ位置から２ＥＣＣユニット分（１６トラック分）＋トラッキングに必要な分だけテープを巻き戻しながらテープ上のデータを再生し、この２ＥＣＣユニット分の再生データ中の補助データを検出する。
【００３３】
ここで、補助データが検出できた場合、テープを一時停止する。そして、記録開始位置直前の２ＥＣＣユニット分のデータをテープより再生し、この２ＥＣＣユニットのうち、補助データを含む１ＥＣＣユニット分のデータをメモリ１０２におけるメモリバンクＥＣＣ１書き込み、内符号訂正、外符号訂正の処理を施した後、再びテープを２ＥＣＣユニット＋トラッキングに必要なトラック分だけ巻き戻して一時停止する。
【００３４】
以下、記録開始の指示があると、テープの搬送を開始し、このメモリバンクＥＣＣ１における編集ポイント（補助データ）に引き続いて新たに記録すべきデータを符号化して書き込み、外符号訂正符号化、内符号訂正符号化の処理を施した後、記録開始位置の直前における編集ポイントを含むＥＣＣユニットのデータが記録されていたトラックに対し、このＥＣＣ１のデータを新たに上書きすることで、つなぎ撮りを開始する。その後、ＥＣＣ１からＥＣＣ４までの四つのメモリバンクを用いて、引き続き符号化、記録処理を実行する。
【００３５】
一方、記録開始位置の直前の２ＥＣＣユニットから編集ポイントが検出できなかった場合、テープの巻き戻しを停止し、再びテープを再生しながら記録開始位置の直前のＥＣＣユニットの最後のトラックの位置からトラッキングに必要なトラック分だけ巻き戻した位置でテープの搬送を一時停止する。
【００３６】
そして、記録開始の指示があると、ＥＣＣ１からＥＣＣ４のメモリバンクを用いて、編集ポイントに関係なく、ＥＣＣユニットの先頭トラックより新たな符号化データの記録を開始する。
【００３７】
この様子を図６に示す。このとき、本形態では、記録開始の先頭位置に前述の補助データを記録するが、この補助データ内につなぎ撮り部分が不連続になっている旨を示す識別情報を付加して記録する。
【００３８】
この様に、本形態においては、記録停止時に、最後の記録データを含むＥＣＣユニットのデータをメモリに保持しておき、つなぎ撮り開始時において、この最後のＥＣＣユニットにおける最後の記録データに引き続いて新たな記録データを書き込むことで、つなぎ撮り部分のデータを再生するためにテープを巻き戻す必要がなくなり、迅速につなぎ撮りを行うことが可能となる。
【００３９】
また、新たに装着されたテープに対してつなぎ撮りを行う場合、記録開始位置の直前の２ＥＣＣユニット内に編集ポイントがある場合には、この編集ポイントに引き続いて新たな符号化データを記録し、編集ポイントが見つからなかった場合には、不連続になっている旨を示す識別情報と共に、ＥＣＣユニットを単位として新たな符号化データを記録するので、編集ポイントが見つからない場合にも、長期間テープの巻き戻しを行うことなく、迅速につなぎ撮りの準備を完了することが可能となる。
【００４０】
なお、本実施形態では、つなぎ撮り開始時に、ＥＣＣ２の先頭から最後に記録したＰピクチャまでのＭＰＥＧデータをＥＣＣ１のバンクに移動し、このＥＣＣ１に対して引き続き新たなＭＰＥＧデータを書き込んでいたが、ＥＣＣ１に移動することなく、ＥＣＣ２に対して引き続きＭＰＥＧデータを書き込むようにしてもよい。
【００４１】
また、本実施形態では、新たにテープが装着された場合、現在のテープ位置の直前の編集ポイントを自動的に検出していたが、この様に編集ポイントを検出するか否かをユーザが任意に選択可能とし、新たにテープを装着した場合にも現在のテープ位置、或いは、その直後のＥＣＣユニットの先頭トラックより、不連続を示す識別情報と共に記録を開始するよう構成してもよい。
【図面の簡単な説明】
【００４２】
【図１】本発明が適用される記録装置の構成を示す図である。
【図２】メモリの構成を示す図である。
【図３】記録時におけるメモリの使用状況を示す図である。
【図４】つなぎ撮り位置の様子を示す図である。
【図５】つなぎ撮り時におけるメモリの使用状況を示す図である。
【図６】つなぎ撮り位置の様子を示す図である。
【図１】
2006129160.tif 000003
【図２】
2006129160.tif 000004
【図３】
2006129160.tif 000005
【図４】
2006129160.tif 000006
【図５】
2006129160.tif 000007
【図６】
2006129160.tif 000008